(57)【要約】　　　（修正有）【課題】ガストーチやかがり火等の燃焼機器においても燃焼時に安定した有色炎を発生する、有色炎液化ガス燃料を提供する。【解決手段】　有機金属塩化合物、金属を含む有機キレート系化合物及び無機系金属塩化合物から選択される少なくとも一種の化合物からなる発色主剤を溶剤に溶解させて得た溶液をフィルタでろ過し不純物を除去した後、大気下で気化する可燃性ガスと共にボンベに封入する。封入圧力は０．４〜０．６ＭＰａが好ましい。【選択図】　なし【特許請求の範囲】
【請求項１】
　有機金属塩化合物、金属を含む有機系キレ−ト系化合物、無機系金属塩化合物からなる群から選択される少なくとも一種の化合物からなる発色主剤と、溶解するところの溶剤とを大気下で気化する可燃性ガスに溶解し気化燃焼を特徴とするカラ−性液化ガス燃料。
【請求項２】
有機金属塩化合物、金属を含む有機系キレ−ト系化合物、無機系金属塩化合物からなる群から選択される少なくとも一種の化合物からなる発色主剤と、該発色主剤を溶解させるところの有機溶剤とを大気圧下で気化する可燃性ガスに溶解してなるカラ−性液化ガス燃料において、上記発色主剤を溶解してなる有機溶剤溶液をフイルタで濾過することを特徴とするカラー性液化ガス燃料。
【請求項３】
請求項２記載のカラー性液化ガス燃料の内圧０．４〜０．６Ｍｐａの圧力下でボンベに充填したことを特徴とするカラー性液化ガス燃料ボンベ。
【発明の詳細な説明】
【技術分野】
【０００１】
　本発明は、燃焼時赤色炎、黄色炎、黄緑色炎、紫色炎等の種々の有色炎を発生する事ができるようにしたカラ−性液化ガス燃料に関する。
【背景技術】
【０００２】
　従来の有色炎発生用液化ガス燃料として、単体又は複合して、炎色反応を起こす、特定の金属の無機塩、有機塩硼酸エステルを有機溶剤に溶解させ又は溶解させないで、可燃性液化ガスに溶解させるようにしたものが提案されている。（特公昭５１−２３２２号広報・特公昭５１−２３２３号）この有色炎発生用液化ガス燃料は、ガスト−チ等の燃焼に用いられ、液化ガス等とともに金属の無機塩、有機塩これに着火させることにより、有色炎が発生するものである。しかしながら、従来技術に用いられている金属の無機塩、有機塩、硼酸エステルが可燃性ガスに混合した場合、時間、温度、衝撃またはガスライタ−で燃焼させる際の物理的挙動（液相から気相への急激な変化により金属の無機塩等が解離、析出し、）ノズルの目詰まりに生ずる等に起因して間欠的に有色炎を出すにしても安定した有色炎を発生することができないという問題があった。本発明者は、これらの従来技術を改良すべく問題があった。
　本発明者は、これらの従来技術を改良すべく研究を重ねて、大気下で気化する可燃性液化ガスに発色主剤であるオキサミン酸エチルを発光安定剤であるキシレン・２−エチルヘキサン酸、２−エチルヘキシルアミンの一種以上と共に添加して溶解した。高輝度有色炎液化ガス燃料を完成して提案し(特願昭６０−２７７５１７号)又、発色剤として、有機塩化合物、金属を含む有機系キレート化合物、硼酸エステルを用い、これらの発色剤とともに触媒（界面活生剤）を用いた、有色炎発生用液化ガス燃料（特願昭６２−１４３２７３号）前記発色剤とともに触媒（ニトロ基を含む酸化剤、特願昭６３−２７２８１９号）を完成した。
【特許文献１】特公昭５１−２３２２号
【特許文献２】特公昭５１−２３２３号
【特許文献３】特願昭６０−２７７５１７号
【特許文献４】特願昭６２−１４３２７３号
【特許文献５】特願昭６３−２７２８１９号
【発明の開示】
【発明が解決しようとする課題】
【０００３】
上記の従来技術の特許文献５（特願昭６３−２７２８１９号）の提案は、小型のポケット喫煙具用ライタ−類等に限り金属の無機塩等が解離なし、ノズルの目詰まりは解決できた。それは、可燃性ガスに触媒を混入した為である。小型化ポケツトライタ−類等の小型燃焼機器等の限定され有色炎が安定燃焼できたが、しかし、やや大型化するガスト−チやかがり火等の燃焼機器（ボンベ装填）については、有色炎を出すにしても、安定した有色炎を発生することができない。原因はやや大型化するについて、ガス燃料内の溶剤等の不純物混入、ガスボンベの内圧が低い為、間欠炎等が露呈し、他のガス燃焼機器は解決するには至つていない。以上の様な経過にて、上記、従来技術を用いても、やや大型化するガスト−チやかがり火、卓上用ガスコンロ等の燃焼機器は有色炎を出すにしても間欠炎であり安定した有色炎を発生することができない。
【課題を解決するための手段】
【０００４】
　本発明者等は技術革新を更に発展させる為に、研究を重ねて、有機金属塩化合物、金属を含む有機系キレ−ト化合物、無機系金属塩からなる群から選択される少なくとも一種化合物からなる発色剤と溶剤、大気下で気化する可燃性ガスに溶解してなる発色剤が燃焼する。触媒無しの改良、ボンベの内圧の改良を特徴とする有色炎液化ガス燃料の提供することにある。
　大気下で気化する可燃性ガスで触媒のない改良をした。カラー性液化ガス燃料はエタノール成分、キレート物質及び不純物を含んでいることから燃料噴射状態が安定せず、燃焼自体が有色炎用液化ガス燃料はエタノール成分、キレート物質及び不純物を含んでいることから燃料噴射状態が安定せず、燃焼自体も不安定なものになつていた。そこで触媒のない改良を試みた。フイルタによる濾過である。ノズル部分の目詰まりは、有色炎液化ガス燃料中に不純物の混入から、発生すると考えられる。そこで、主成分ガス(ＬＰＧ)と溶液は実施例（１）−（１０）の封入の際に不純物混入の可能性は非常に低い為、原液を調整する際に一度０．２６ｍｍ厚のフイルタを通してから主成分との調整を行った。そのことにより、不純物は抑えられ、ノズル部分の目詰まりの解消する事が可能となった。そして、副次的に触媒性物質のあるニトロ基を原液調整時に溶解をしないで、また、下記のボンベ内部圧力の改良をした。
　次に内部圧力の改良（最適化）を実施し。従来の当該燃料は市販のガスボンベ燃料と同等の封入圧力である。０．３５ＭＰaで封入していたガスの封入圧力を０．４〜０．６ＭＰａ程度まで上げる最適化を試みたその結果、燃料墳射状態の間欠性も抑制され安定した燃焼を得ることに成功した。また副次的にノズルからの燃料噴射速度も大幅に改善され、従来から用いられる触媒性物質を混入せずとも、カラー性液化ガス燃料を用いた燃焼では炎の鮮明さに差異は認められなかった。安定した燃焼が得られるようになつた。
【発明の効果】
【０００５】
　本発明によれば，本発明はガス燃料、有機金属塩化物、金属を含む有機系キレ−ト系化合物。無機系金属塩化合物からなる群から選択される少なくとも一種の化合物からなる発色主剤、溶解しうる溶剤、発色主剤は有機金属塩化合物が金属を含み、特に有機、無機系キレ−ト化合物を大気下で気化する可燃性ガスに溶解し混合噴射にて有色炎燃焼してなることを特徴とする。本発明によれば、しかも従来の市販の卓上用ガスコンロ、ガスト−チ等の燃焼炎は、日昼の太陽光の当たる場所での、ガスの燃焼炎の確認が目視では困難であり、その為、火のついているか否か、卓上用ガスコンロ等の炎の中に手を入れ炎の確認の為、手、指などの皮膚に焼けど等を負い、また、ガスの消し忘れ等の危険防止に役立ち、また、完全燃焼炎のため、煙の発生も無く、人体の肺等に吸い込み呼吸器系統に害なく、健康的で安全なガスのカラ−化であり、カラ−性液化ガス燃料である。
【発明を実施するための最良の形態】
【０００６】
本発明で用いられる有機系金属塩化化合物としては、酢酸バリウム、酢酸カルシウム、酢酸コバルト、酢酸セシウム、酢酸銅、酢酸リチウム、酢酸モリブデン、酢酸ナトリウム、酢酸ルビジウム、酢酸ストロンチウム、シクロヘキシル酪酸バリウム、シクロヘキシル酪酸カルシウム、シクロヘキシル酪酸コバルト、シクロヘキシル酪酸セシウム、シクロヘキシル酪酸銅、シクロヘキシル酪酸リチウム、シクロヘキシル酪酸モリブデン、シクロヘキシル酪酸ナトリウム、シクロヘキシル酪酸ルビジウム、シクロヘキシル酪酸ストロンチウム等が挙げられる。金属を含む有機系キレ−ト化合物としては、アセチルアセトンバリウム、アセチルアセトンカルシウム、アセチルアセトンコバルト、アセチルアセトンセシウム、アセチルアセトン銅、アセチルアセトンリチウム、アセチルアセトンモリブデン、アセチルアセトンナトリウム、アセチルアセトンルビジウム、アセチルアセトンストロンチウム、ベンゾイトリフルアセトン銅、３−フェニルアセチルアセトン銅セシウム、２−テイノルトリフルオルアセトンカリウム、２−テイノルトリフルオルアセトンモリブデン、エチレンジアミン四酢酸リチウム、ヘキサフルアセチルアセトンナトリウム、ジオチアセチルアセトンストロンチ　ウム、ジピバロイルメタンバリウム、ジピバロイルメタンカルシウム、ジピバロイルメタンコバルト、ジピバロイルメタンセシウム、ジピバロイルメタン銅、ジピバロイルメタンリチウム、ジピバロイルメタンモリブデン、ジピバロイルメタンナトリウム、ジピバロイルメタンルビジウム、ジピバロイルメタンストロンチウム等を用いることができる。無機系金属塩化合物としては塩化バリウム、塩化カルシウム、塩化コバルト、塩化セシウム、塩化第一銅、塩化第二銅、塩化リチウム、塩化モリブデン、塩化ナトリウム、塩化ルビジウム、塩化ストロンチウム、硝酸バリウム、硝酸カルシウム、硝酸コバルト、硝酸セシウム、硝酸銅、硝酸リチウム、硝酸モリブデン、硝酸ナトリウム、硝酸ルビジウム、硝酸ストロンチウム、硼酸エステルとしてはトリプロピルトリイソプロピル等を用いることが出来る。
上記した発色主剤によって生ずる色は、含まれる元素によって生ずる色は異なるが、各元素に起因する発色は次の通りである。ＬＩ（リチウム）−深紅、Ｂａ（バリウム）−黄緑、Ｃａ（カルシウム）−燈赤、Ｃｕ（銅）−緑、Ｃｓ（セシウム）−青紫、Ｋ（カリウム）−紫、Ｍｏ（モリブデン）−黄緑、Ｎａ（ナトリウム）−黄、Ｓｒ（ストロンチウム）−赤、Ｃｏ（コバルト）−青、Ｒｂ（ルビジウム）−深赤。又、本発明においては、必要に応じて各種の溶剤、例えばメタノ−ル、エタノ−ル、エ−テル類、テトラヒドラヒドロフラン、蟻酸メチル等を用いることができる。本発明で用いられる大気下で気化する可燃性ガスとしては、常温で気体となる低分子量の炭化水素、例えばブタン（イソブタン、ノルマルブタン）プロパン、ＬＰガス、ペンタン等の液化ブタンを用いるのが好ましい。発色剤を０．０００１〜２０重量％、エタノール等の溶剤を０〜４０重量％、可燃性ガスを５０〜９９．９９９９重量％、の割合で適宜選択的に配合して調整する。
触媒のない改良については、耐圧用ガラス容器内に発色剤とＬＰＧと混合したものを封入（０．３５Ｍｐａ）その後、アルゴンイオンレーザーシートをガラス容器に照射し、封入液体内の不純物（発色剤の不定形のキレート物質以外の物）を確認した。不純物の除去はフイルタリング、定性濾紙ＪＩＳ.Ｐ３８０１（ＮＯ.２保留粒子径５μｍ）を使用した。ボンベ内部の圧力の最適化については、発色剤とＬＰＧの混合比には無関係に溶剤（発色剤を溶剤に混入、上記フイルタに通した不純物を除去した。）：ＬＰＧ＝　２５ｗｔ％：７５ｗｔ％の割合で混合を行いました。またＬＰＧの配合比は一般的に使用されているプロパン／ブタン＝７３ｔ％：２７ｗ％を用いました。内部圧力のついては、より良い発色性と液だまり解消を目的に行い、副次的に触媒（ニトロ基を含む酸化剤）を入れなくても良いことがわかった。燃焼実施試験は市販の熱機器等のガストーチ・かがり火で行い、実施の各発色剤は共通に溶剤に対して、５％・３％・１％と三段階に分けて混入した。燃焼実施結果は５％（炎色は良いが少し黄炎あり・採用は不可）３％（炎色は、やや良いが僅かな黄炎の状態・やや良い）１％（炎色性も良く炎の状態も良好であった黄炎なし。採用）よって下記の実施例の通りである。
実施例（１）
　容器に入れた５００ｃｃのエタノ−ルに５ｇのアセチルアセトンリチウムを混入して、溶液を得た。不純物の除去はフイルタリング、定性濾紙ＪＩＳ.Ｐ３８０１（ＮＯ.２保留粒子径５μｍ）を使用したボンベ内部の圧力の最適化については、発色剤とＬＰＧの混合比には無関係に発色剤：ＬＰＧ＝２５ｗｔ％：７５ｗｔ％の割合で混合を行いました。またＬＰＧの配合比は一般的に使用されているプロパン／ブタン＝７３ｔ％：２７ｗ％を用いました。内部圧力約０．４〜０．６ＭＰａは、より良い発色性と液だまり解消を目的に行い副次的に触媒（ニトロ基を含む酸化剤）を入れなくても良いことがわかった。市販のカ−トリッジ式ボンベ（２００ｃｃの容器、常温１５〜２０℃、内部圧力約０．４〜０．６ＭＰａ）に溶液に４２．５ｃｃを挿入して液化ブタン１２７．５ｃｃを充填し封入した。カ−トリッジ式ボンベを市販のガスかがり火に装着し着火、燃焼させ鮮明なる美しい深紅色の有色炎が発生した。
【０００７】
　実施例（２）
　容器に入れた５００ｃｃのエタノ−ルに５ｇのアセチルアセトンナトリウムを混入して、溶液を得た。市販のカ−トリッジ式ボンベ（２００ｃｃの容器、常温１５〜２０℃、内部圧力約０．４〜０．６ＭＰａ）に溶液を４２．５ｃｃを挿入して液化ブタン１２７．５ｃｃを充填し封入した。カ−トリッジ式ボンベを市販のガスランタンに装着し着火、燃焼させ鮮明なる美しい黄色の有色炎が発生した。
【０００８】
実施例（３）
　容器に入れた５００ｃｃのエタノ−ルに５ｇのアセチルアセトン銅を混入して、溶液を得た。市販のカ−トリッジ式ボンベ（２００ｃｃの容器、常温１５〜２０℃内部圧力約０．４〜０．６ＭＰａ）に溶液を４２．５ｃｃを挿入して液化ブタン１２７．５ｃｃを充填し封入した。カ−トリッジ式ボンベを市販の卓上用ガスコンロに装着し着火し、燃焼させ鮮明なる美しい緑色の有色炎が発生した。
【０００９】
実施例（４）
　容器に入れた５００ｃｃのエタノ−ルに５ｇのアセチルアセトンセシウムを混入して、溶液を得た。市販のカ−トリッジ式ボンベ（２００ｃｃの容器、内部圧力約０．４〜０．６ＭＰａ）に溶液を４２．５ｃｃを挿入して液化ブタン１２７．５ｃｃを充填し封入した。カ−トリッジ式ボンベを市販のガスト−チに装着し着火、燃焼させ鮮明なる美しい青紫色の有色炎が発生した。
【００１０】
実施例（５）
　容器に入れた５００ｃｃのエタノ−ルに５ｇのアセチルアセトンカリウムを混入して、溶液を得た。市販のカ−トリッジ式ボンベ（２００ｃｃの容器、常温１５〜２０℃、内部圧力約０．４〜０．６ＭＰａ）に溶液を４２．５ｃｃを挿入して液化ブタン１２７．５ｃｃを充填し封入した。カ−トリッジ式ボンベを市販のガスかがり火に装着し着火、燃焼させ鮮明なる美しい紫色の有色炎が発生した。
【００１１】
　実施例（６）
　容器に入れた５００ｃｃのエタノ−ルに５ｇのアセチルアセトンバリウムを混入して、溶液を得た。市販のカ−トリッジ式ボンベ（２００ｃｃの容器、内部圧力約０．４〜０．６ＭＰａ）に溶液を４２．５ｃｃ挿入して液化ブタン１２７．５ｃｃを充填し封入した。カ−トリッジ式ボンベを市販のガスランタンに装着し着火、燃焼させ鮮明なる美しい黄緑色の有色炎が発生した。
【００１２】
　実施例（７）
　容器に入れた５００ｃｃのエタノ−ルに５ｇのアセチルアセトンカルシウムを混入して、溶液を得た。市販のカ−トリッジ式ボンベ（２００ｃｃの容器、常温１５〜２０℃、内部圧力約０．４〜０．６ＭＰａ）に溶液を４２．５ｃｃを挿入して液化ブタン１２７．５ｃｃを充填し封入した。
カ−トリッジ式ボンベを市販の卓上用ガスコンロに装着し着火、燃焼させ鮮明なる　美しい赤燈色の有色炎が発生した。
【００１３】
　実施例（８）
　容器に入れた５００ｃｃのエタノ−ルに５ｇのアセチルアセトンストロンチウムを混入して、溶液を得た。市販のカ−トリッジ式ボンベ（２００ｃｃの容器、常温１５〜２０℃、内部圧力約０．４〜０．６ＭＰａ）に溶液を４２．５ｃｃを挿入して液化ブタン１２７．５ｃｃを充填し封入した。カ−トリッジ式ボンベを市販のガスト−チに装着し着火、燃焼させ鮮明なる美しい赤色の有色炎が発生した。
【００１４】
実施例（９）
　容器に入れた５００ｃｃのエタノ−ルに５ｇのアセチルアセトンリチウムを混入して、溶液を得た。市販のカ−トリッジ式ボンベ（２００ｃｃの容器、常温１５〜２０℃、内部圧力約０．４〜０．６ＭＰａ）に溶液を４２．５ｃｃを挿入して液化ブタン１２７．５ｃｃを充填し封入した。カ−トリッジ式ボンベを市販の卓上用ガスコンロに装着し着火、燃焼させ鮮明なる美しい深紅色の有色炎が発生した。
【００１５】
　実施例（１０）
　容器に入れた５００ｃｃのエタノ−ルに５ｇのアセチルアセトンルビジウムを混入して、溶液を得た。市販のカ−トリッジ式ボンベ（２００ｃｃの容器、常温１５〜２０℃、内部圧力約０．４〜０．６ＭＰａ）に溶液を４２．５ｃｃを挿入して液化ブタン１２７．５ｃｃを充填し封入した。カ−トリッジ式ボンベを市販のガスト−チに装着し着火、燃焼させ鮮明なる美しい深赤色の有色炎が発生した。
【産業上の利用可能性】
【００１６】
　船舶、鉄道、航空路の誘導ならびに信号灯、利用目的としては、使用上の冬の凍結防止策、結露防止等。ネオン、花火などに替わる宣伝効果。スポーツ、催示展示、結婚式、公共・スポーツイベント、神社等の祭事用灯明、民間・公共用モニュメント。一般的なアウトドア、インドア製品品として，かがり火、ガストーチ、民間・公共用モニュメント、テーマパーク、ランタン、教材用・家庭用として、卓上用ガスコンロ等の多種多彩の産業製品化がある。